(57)【要約】【課題】  簡易な構造により排気が天板カバー内に侵入することのない安全性に優れた天板カバー付コンロを提供する。【解決手段】天板カバー２の下端部には切欠部３が設けられており、後述するように、閉蓋時に切欠部３が排気口１０の直上に位置することにより、排気口１０が大気に開放されるように構成されている。グリルバーナ９ｅの燃焼が開始されると、排気は排気口１０に導かれる。そして、排気口１０の直上部に設けられた切欠部３を上昇して大気に開放される。これにより、たとえ誤って閉蓋状態でグリルを燃焼させても排気により天板カバー２が熱せられることはない。【選択図】図１ 
2006002946.tif 000002
【特許請求の範囲】
【請求項１】
天板部奥側にグリル排気部と、天板部奥側の支軸を中心に開閉可能な天板カバーと、を備えたコンロであって、
前記天板カバーは閉蓋状態において前記グリル排気部を露出させる切欠部を備えて成ることを特徴とするコンロ。
【請求項２】
閉蓋状態において、前記グリル排気部頂部が前記天板カバー上面より突出するように構成して成ることを特徴とする請求項１に記載のコンロ。
【請求項３】
閉蓋状態において、前記グリル排気部から前記天板部への排気の侵入を防ぐための隔壁を備えて成ることを特徴とする請求項１に記載のコンロ。
【請求項４】
前記隔壁を前記天板部に備えて成ることを特徴とする請求項３に記載のコンロ。
【請求項５】
前記隔壁を前記天板カバー下面に備えて成ることを特徴とする請求項３に記載のコンロ。
【請求項６】
前記天板カバー上面の切欠部近傍に排気口閉鎖防止堤を備えて成ることを特徴とする請求項１、３乃至５に記載のコンロ。
【請求項７】
前記コンロは、さらに前記天板部にオーブン排気部を備え、かつ、前記天板カバーは閉蓋状態において前記グリル排気部及び前記オーブン排気部を露出させる切欠部を備えて成ることを特徴とする請求項1乃至６に記載のコンロ。
【発明の詳細な説明】
【技術分野】
【０００１】
本発明はコンロに関し、特に天板カバーを備えたコンロに関する。
【背景技術】
【０００２】
コンロ用天板カバー（蓋）は、不使用時に閉蓋することにより天板（トッププレート）部の汚れを隠すという美観上の目的や、天板カバー上に食器や調理具などを置く目的で一部のコンロに取り付けられている。しかし、ユーザが誤って天板カバーを閉めたまま点火したり、コンロ使用中に不注意又は不慮の振動等により天板カバーが閉じてしまった場合、天板カバーが熱せられて火傷や天板カバーの破損・変形の原因となるおそれがある。特にグリル内蔵型のコンロの場合には、燃焼状態にあることを上部からは確認できないため、誤操作をする可能性が高い。
【０００３】
図１０はこのような状態を示す図であり、従来のグリルバーナ搭載型の天板カバー付コンロ１００の閉蓋状態を示している。閉蓋状態において、グリルバーナ（図示せず）の燃焼が開始されると、排気口１０２から排出される燃焼排気は天板カバー１０１に当たり、同図矢印のように天板部１０４と天板カバー１０１で囲まれる空間に滞留してしまう。
【０００４】
このような問題に対応するために、本出願人により天板カバーにインターロック機構を設ける技術が提案されている（例えば、特開平２００２−３９５４４号公報）。
しかしながら、インターロック機構は構造が複雑となり、コストが高くなるという問題があり、コスト面を考慮したより簡易な構造の天板カバー付コンロが望まれていた。
【特許文献１】特開平２００２−３９５４４号公報
【発明の開示】
【発明が解決しようとする課題】
【０００５】
本発明は、簡易な構造により、グリル使用中に天板カバーが閉じてしまった場合でも、排気が天板カバー内に侵入することのない安全性に優れた天板カバー付コンロを提供するものである。
【課題を解決するための手段】
【０００６】
本発明は上記目的を達成するため、
（１）天板部奥側にグリル排気部と、天板部奥側の支軸を中心に開閉可能な天板カバーと、を備えたコンロであって、天板カバーは閉蓋状態においてグリル排気部を露出させるための切欠部を備えて成ることを特徴とする。
天板カバーに切欠部を設けることにより、閉蓋状態においてグリル排気部を露出させることになり、グリル排気部から排出される燃焼排気が天板カバー内部に滞留することなく、大気に開放されることになる。
【０００７】
（２）また、本発明は、閉蓋状態において、グリル排気部頂部が天板カバー上面より突出するように構成して成ることを特徴とする。
このような構成により、グリルバーナ燃焼時において排気が天板カバー内部に漏出することを完全に排除できる。さらに、閉蓋時に天板カバー上に鍋等を置いたとしても、排気筒が障碍となり、鍋等が排気部を覆ってしまうことを防止できる。
【０００８】
（３）また、本発明は、閉蓋状態において、グリル排気部から天板部への排気の侵入を防ぐための隔壁を備えて成ることを特徴とする。
このような構成により、グリルバーナ燃焼時の排気が隔壁によりブロックされ、燃焼排気の天板カバー内部への漏出を防止することができる。
【０００９】
（４）また、本発明は、隔壁を天板部に備えて成ることを特徴とする。
【００１０】
（５）また、本発明は、隔壁を天板カバー下面に備えて成ることを特徴とする。
【００１１】
（６）本発明は、天板カバー上面の切欠部近傍に排気口閉鎖防止堤を備えて成ることを特徴とする。
このような構成により、（２）と同様に閉蓋時に天板カバー上に鍋等を置いたとしても、排気口閉鎖防止堤が障碍となって、排気口が鍋等により覆われてしまうことを防止できる。
【００１２】
（７）また、上記コンロは、さらに天板部にオーブン排気部を備え、かつ、天板カバーは閉蓋状態においてグリル排気部及びオーブン排気部を露出させる切欠部を備えて成ることを特徴とする。
このような構成により、オーブンについても天板カバーを閉めたまま支障なく使用することができる。
なお、本発明においてコンロ部とオーブン部は一体に構成されていても、独立のユニットとして構成されていてもよい。また、グリル排気部とオーブン排気部についても、隣接して設置される場合と、グリル排気通路とオーブン排気排気通路が排気口上流側で合流し、一つの排気口から排気される場合とを含む。
【発明の効果】
【００１３】
本発明によれば、天板カバーを閉蓋したままグリルを使用する誤操作を行っても、天板カバーが熱せられることによる火傷や天板カバーの破損・変形を防止することができる。  また、振動や風などによる外的要因で天板カバーが閉蓋した場合も同様に安全である。
【発明を実施するための最良の形態】
【００１４】
以下、本発明に係るコンロの実施形態について、図１乃至９を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１５】
＜天板カバー切欠タイプ＞
図１は、本発明の一実施形態である天板カバー切欠タイプに係る天板カバー付コンロ１の開蓋状態を示す図である。また、図２は天板カバー付コンロ１の閉蓋状態におけるグリル内部を示す断面図である。図１を参照して、天板カバー付コンロ１は、本体４上面の天板部５に３個のトップバーナ６ａ乃至６ｃを備えている。本体４前面側には、グリル扉７、バーナ点火・操作ツマミ９ａ乃至９ｄを備えている。グリル扉７の内部には後述するグリルバーナ（図示せず）が格納されている。天板部５の奥側中央にはグリル排気口１０が設けられており、さらに後端部に天板カバー２が取り付けられている。天板カバー２は左右両側に設けられたヒンジ８により開閉可能に構成されている。ヒンジ８はラチェット機構により任意の開度で固定できるように構成されている。天板カバー２の下端部には切欠部３が設けられており、後述するように、閉蓋時に切欠部３が排気口１０の直上に位置することにより、排気口１０が大気に開放されるように構成されている。なお、排気口１０表面には異物落下防止用の排気カバーが設置されている。
【００１６】
図２を参照して、グリル室１２は、グリル隔壁１１により本体部４と区画されており、グリル扉７を閉めた状態で、グリル燃焼排気が本体部４側に漏れないように構成されている。グリル室１２には、焼物加熱用のグリルバーナ９ｅが搭載されている（グリルバーナは下部側にも搭載されているが図では省略してある）。グリル扉７は、皿受１３と一体に構成されており、グリル扉７と皿受１３を一緒に引き出せるようになっている。皿受１３の上部にはグリル網１４が置かれており、グリル網１４の上に被加熱物（焼物）１５を載せて、グリルバーナ９ｅで加熱することができる。なお、同図ではトップバーナ６ａ乃至６ｃ、ガス供給部等のグリル排気に直接関係しない部分については、図示を省略している。
【００１７】
上記構成において、グリルバーナ９ｅの燃焼が開始されると、排気は図２の矢印のように排気口１０に導かれる。この場合、排気は高温であるため周囲空気との比重差により上昇し、排気口１０直上部の切欠部３を通過して大気に開放される。これにより、たとえ誤って閉蓋状態でグリルを燃焼させたとしても、天板カバー２の内側に排気が滞留することはない。
【００１８】
＜天板一体型隔壁タイプ＞
次に、本発明の他の実施形態である「天板一体型隔壁タイプ」について説明する。図３は、本実施形態に係る天板カバー付コンロ２０の開蓋状態を示す図であり、また、図４は、同閉蓋状態におけるグリル部断面を示す図である。本実施形態に係るコンロ２０が上述のコンロ１と異なる点は、天板部５の排気口前面に隔壁２１を備えていることである。その他の構成はコンロ１と同一であるので説明を省略する。隔壁２１の高さは、図４に示す通り閉蓋時の天板カバー２の下面に接するように構成されている。このような構成により、グリルバーナ燃焼時の排気は隔壁２１によりブロックされるため、本体４と天板カバー２間にできる空間に拡散することを完全に排除することができる。
【００１９】
＜天板カバー一体型隔壁タイプ＞
さらに、本発明の他の実施形態である「天板カバー一体型隔壁タイプ」について説明する。図５は、本実施形態に係る天板カバー付コンロ３０の開蓋状態を示す図である。本実施形態に係るコンロ３０が上述の「天板一体型隔壁タイプ」であるコンロ２０と異なる点は、隔壁３１が天板部５の排気口前面に設けられているのではなく、同図に示すように天板カバー２の切欠部３の前方側に設けられていることである。他の構成はコンロ２０と同一であるので説明を省略する。隔壁３１の高さは、閉蓋状態において天板部５表面に接するように構成されている。このような構成により、隔壁３１は、閉蓋状態において図４の隔壁２１と同一の位置関係に置かれることになり、上述の天板一体型隔壁タイプと同様の機能を果たすことが可能となる。
【００２０】
＜排気筒タイプ＞
さらに、本発明の他の実施形態である「排気筒タイプ」について説明する。図６は、本実施形態に係る天板カバー付コンロ４０の開蓋状態を示す図であり、また、図７は同閉蓋状態におけるグリル内部を示す断面図である。コンロ４０が上述の各実施形態に係るコンロ１乃至３０と異なる点は、コンロ１乃至３０では排気口１０の水平位置が天板部５とほぼ同一レベルであるのに対して、コンロ４０の排気筒４１については、頂部水平位置が閉蓋時の天板カバー２上面より高く構成されている点である。すなわち、図７に示すとおり排気筒４１頂部は天板カバー２の上面から突出している。これにより、グリルバーナ燃焼時において、排気が本体４と天板カバー２間の空間に漏出することを完全に排除できる。さらに、閉蓋時に天板カバー２の上に鍋等を置いたとしても、排気筒４１が障碍となって鍋等が排気口を覆ってしまうことを防止できる。
【００２１】
＜排気口閉鎖防止堤タイプ＞
さらに、本発明の他の実施形態である「排気口閉鎖防止堤タイプ」について説明する。図８は、本実施形態に係る天板カバー付コンロ５０の閉蓋状態を示す断面図である。コンロ５０が上述のコンロ４０と異なる点は、コンロ４０が閉蓋時において天板カバー２の上面から突出する排気筒４１を備えているのに対して、コンロ５０では天板カバー２上面の切欠部３近傍に、排気口閉鎖防止堤５１を備えていることである。なお、排気口１０の水平位置は天板部５とほぼ同一である。このような構成により、コンロ４０と同様に、閉蓋時に天板カバー２の上に鍋等を置いたとしても、排気口閉鎖防止堤５１が障碍となって鍋等が排気口を覆ってしまうことを防止できる。
なお、本実施形態において、グリル排気流出防止用の隔壁を天板カバー下面側又は天板面に設けることも可能である。
【００２２】
＜オーブン排気口一体タイプ＞
さらに、本発明の他の実施形態である「オーブン排気口一体タイプ」について説明する。図９は、本実施形態に係る天板カバー付コンロ６０の開蓋状態を示す図である。コンロ６０が上述のコンロ１乃至５０と異なる点は、コンロ１乃至５０がコンロ単体であるのに対して、コンロ６０はオーブン一体型である点である。すなわち、コンロ６０は、トップバーナとグリルを有するコンロ部６１の下側にオーブン部６２を備えており、システムキッチンのカウンタートップ６６にドロップインされるタイプである。なお、同図には示されないが、オーブン扉６７の内部にはオーブンバーナ、調理受け皿などが内蔵されている。オーブン部６２の背面側には、オーブン排気を導くオーブン排気筒（図示せず）が設けられている。オーブン排気口６４は、天板部５のグリル排気口６３後方に隣接して一体に設けられている。さらに、天板カバー３には、閉蓋時にグリル排気口６３及びオーブン排気口６４を露出させるように切欠部６５が設けられている。このような構成により、オーブン排気筒を上昇する排気をオーブン排気口６４から大気に開放することができる。
なお、本実施形態においても、上述の排気筒タイプと同様に、閉蓋時に排気口の頂部を天板カバー２の上面から突出させるようにしてもよい。
【００２３】
上記各実施形態では、独立設置タイプのガスコンロを例に説明したが、これに限らず、ビルトインタイプ、レンジ一体タイプ等、コンロのタイプを問わず広く適用可能である。また、熱源についても、ガス、電気、灯油等、エネルギー源を問わず適用可能である。
【産業上の利用可能性】
【００２４】
本発明は、独立設置タイプ、ビルトインタイプ等、コンロのタイプを問わず広く適用可能である。また、ガス、電気、灯油等、エネルギー源を問わず適用可能である。
【図面の簡単な説明】
【００２５】
【図１】天板カバー切欠タイプに係る天板カバー付コンロ１の開蓋状態を示す図である。
【図２】天板カバー付コンロ１の同閉蓋状態におけるグリル内部を示す断面図である。
【図３】天板一体型隔壁タイプに係る天板カバー付コンロ２０の開蓋状態を示す図である。
【図４】天板カバー付コンロ２０の閉蓋状態におけるグリル内部を示す断面図である。
【図５】天板カバー一体型隔壁タイプに係る天板カバー付コンロ３０の開蓋状態を示す図である。
【図６】排気筒タイプに係る天板カバー付コンロ４０の開蓋状態を示す図である。
【図７】天板カバー付コンロ４０の閉蓋状態におけるグリル内部を示す断面図である。
【図８】排気口閉鎖防止堤タイプに係る天板カバー付コンロ５０の閉蓋状態を示す図である。
【図９】オーブン排気口一体タイプに係る天板カバー付コンロ６０の開蓋状態を示す図である。
【図１０】従来の天板カバー付コンロ１００の閉蓋状態を示す図である。
【符号の説明】
【００２６】
１、２０、３０、４０、５０、６０・・・・・天板カバー付コンロ
２・・・・・天板カバー
３、６５・・・・・切欠部
４・・・・・本体部
５・・・・・天板部
６ａ〜６ｃ・・・・・トップバーナ
７・・・・・グリル扉
９ｅ・・・・・グリルバーナ
１０，６３・・・・・グリル排気口
１１・・・・・グリル隔壁
１２・・・・・グリル室
２１、３１・・・・・隔壁
４１・・・・・排気筒
５１・・・・・排気口閉鎖防止堤
６２・・・・・オーブン部
６４・・・・・オーブン排気口
【図１】
2006002946.tif 000003
【図２】
2006002946.tif 000004
【図３】
2006002946.tif 000005
【図４】
2006002946.tif 000006
【図５】
2006002946.tif 000007
【図６】
2006002946.tif 000008
【図７】
2006002946.tif 000009
【図８】
2006002946.tif 000010
【図９】
2006002946.tif 000011
【図１０】
2006002946.tif 000012